(57)【特許請求の範囲】
【請求項１】
エアコン吹き出し口に挿入されるネジ部と、物品を係合させる取付基部と、前記ネジ部と前記取付基部との間に配置されて前記ネジ部を回転させるアジャスト部とを有する本体と、
前記エアコン吹き出し口に設けられたルーバーの後端に係合するフック部を有し、前記ネジ部に螺合して当該ネジ部の軸線方向への移動を可能とするスライダーと、
前記ネジ部の延設方向に沿って配置され、前記スライダーが前記ネジ部の回転と共に回動することを防止するガイド部と、前記ルーバーの前端に当接する当接部とを有するスライドガイドと、
を備えることを特徴とするエアコン吹き出し口のルーバーに対する物品取付具。
【請求項２】
前記ガイド部が前記ネジ部の少なくとも一部を覆っていることを特徴とする請求項１に記載のエアコン吹き出し口のルーバーに対する物品取付具。
【請求項３】
前記スライダーにおける前記ネジ部に対する螺合範囲をネジ部外周の１／２以下の範囲とし、
前記ガイド部は、前記ネジ部の少なくとも一部を覆い、前記ネジ部の先端側には、前記ネジ部の撓みを解放する逃げ部を備えていることを特徴とする請求項１に記載のエアコン吹き出し口のルーバーに対する物品取付具。
【請求項４】
前記当接部は、前記アジャスト部配置側となる前記スライドガイドの端部に配置されていることを特徴とする請求項１乃至３のいずれか１項に記載のエアコン吹き出し口のルーバーに対する物品取付具。
【請求項５】
前記当接部は、前記ルーバーの前端に係合するフック形状であることを特徴とする請求項１乃至４のいずれか１項に記載のエアコン吹き出し口のルーバーに対する物品取付具。
【請求項６】
前記アジャスト部に前記取付基部としての機能を持たせ、前記取付基部と前記アジャスト部とを一体物としたことを特徴とする請求項１乃至５のいずれか１項に記載のエアコン吹き出し口のルーバーに対する物品取付具。
【請求項７】
前記取付基部は、前記ネジ部と別体となるように構成していることを特徴とする請求項１乃至５のいずれか１項に記載のエアコン吹き出し口のルーバーに対する物品取付具。
【請求項８】
前記取付基部には、前記当接部としての機能を担うと共に、前記ルーバーの下面を支持する爪部が備えられていることを特徴とする請求項７に記載のエアコン吹き出し口のルーバーに対する物品取付具。
【発明の詳細な説明】
【技術分野】
【０００１】
本発明は、エアコン吹き出し口のルーバーに対する物品取付具に係り、特に、車両のエアコンにおける吹き出し口へのドリンクホルダーや芳香剤などの取付時におけるベースとして好適な物品取付具に関する。
【背景技術】
【０００２】
車両のエアコンにおけるルーバーに物品を取り付けるための物品取付具としては、特許文献１に開示されているようなものが知られている。具体的な構成としては、フック状を成す上ピンと、ルーバーの導入と抜け止めを図る下ピンとを基本として構成されている。
【０００３】
このような構成の物品取付具は、簡易な取付を実現することができる。しかし、上ピンの長さがルーバーの幅に合わない場合には、ガタツキ等の要因になる。このため、製品として販売する場合には、様々なルーバーの幅に対応した物品取付具を複数梱包するようにしていた。
【０００４】
このような実状を鑑み、特許文献２、３に開示されているような物品取付具が提案されている。特許文献２、３に開示されている物品取付具は、いずれも、フック状を成す上ピンに相当する部分が、この上ピンの軸に形成されたネジに螺合するスクリューナットに対してスライドし、スクリューナットを基点としたルーバーへのフック位置を調整することが可能な構成とされている。
【先行技術文献】
【特許文献】
【０００５】
【特許文献１】特開平８−１４２７３３号公報
【特許文献２】特開平８−２４４５１６号公報
【特許文献３】特開平９−８６２５７号公報
【発明の概要】
【発明が解決しようとする課題】
【０００６】
確かに、特許文献２、３に開示されているような構成の物品取付具によれば、取付対象とするルーバーの幅に合わせてフック部（上ピン）の長さを変える事ができ、物品取付時のガタツキを抑制することができる。
【０００７】
しかし、特許文献２、３に開示されている物品取付具は、位置合わせのために、スクリューナットを締めつけた場合、いずれもスクリューナットに螺合する上ピンが物品取り付け側に突出することとなる。このため、物品の内側に突出したり、物品とエアコン吹き出し口との隙間が大きくなったりしていた。
【０００８】
そこで本発明では、このような問題を解決し、取り付け幅の調整が可能であっても、物品取り付け側への突出を無くす事のできるエアコン吹き出し口のルーバーに対する物品取付具を提供することを目的とする。
【課題を解決するための手段】
【０００９】
上記目的を達成するための本発明に係るエアコン吹き出し口のルーバーに対する物品取付具は、エアコン吹き出し口に挿入されるネジ部と、物品を係合させる取付基部と、前記ネジ部と前記取付基部との間に配置されて前記エアコン吹き出し口に設けられたルーバーの前端に当接すると共に前記ネジ部を回転させるアジャスト部とを有する本体と、前記ルーバーの後端に係合するフック部を有し、前記ネジ部に螺合して当該ネジ部の軸線方向への移動を可能とするスライダーと、を備えることを特徴とする。
【００１０】
また、上記目的を達成するための本発明に係るエアコン吹き出し口のルーバーに対する物品取付具としては、エアコン吹き出し口に挿入されるネジ部と、物品を係合させる取付基部と、前記ネジ部と前記取付基部との間に配置されて前記ネジ部を回転させるアジャスト部とを有する本体と、前記エアコン吹き出し口に設けられたルーバーの後端に係合するフック部を有し、前記ネジ部に螺合して当該ネジ部の軸線方向への移動を可能とするスライダーと、前記ネジ部の延設方向に沿って配置され、前記スライダーが前記ネジ部の回転と共に回動することを防止するガイド部と、前記ルーバーの前端に当接する当接部とを有するスライドガイドと、を備えることを特徴とするものであっても良い。
【００１１】
また、上記のような特徴を有するエアコン吹き出し口のルーバーに対する物品取付具では、前記ガイド部が前記ネジ部の少なくとも一部を覆っている構成とすると良い。このような構成とすることで、ネジ部を保護することができる。また、スライダーを構成するフック部の向きを容易に把握することが可能となり、目視し難いルーバーの後端へフック部を係合させることが容易になる。
【００１２】
また、上記のような特徴を有するエアコン吹き出し口のルーバーに対する物品取付具では、前記スライダーにおける前記ネジ部に対する螺合範囲をネジ部外周の１／２以下の範囲とし、前記ガイド部は、前記ネジ部の少なくとも一部を覆い、前記ネジ部の先端側には、前記ネジ部の撓みを解放する逃げ部を備えているようにすると良い。このような構成とすることで、スライダーがネジ部の先端に移動して動きが規制された際、ネジ部が逃げ部の方向へ撓み、空回りを生じさせる。これにより、加負荷による破損を防止する事ができる他、スライダーの位置を目視できない状況においても、いわゆる歯飛び時に生じる音により、スライダーがネジ部の先端に位置した事を知る事ができる。
【００１３】
また、上記のような特徴を有するエアコン吹き出し口のルーバーに対する物品取付具では、前記当接部は、前記アジャスト部配置側となる前記スライドガイドの端部に配置されているようにすると良い。このような構成とすることによれば、ネジ部の締め込みを完了させる前に、スライダーと当接部によるルーバーの挟み込みを成すことができる。よって、物品取付具を安定させた状態でネジ部の締め込みを行うことができる。
【００１４】
また、上記のような特徴を有するエアコン吹き出し口のルーバーに対する物品取付具では、前記当接部は、前記ルーバーの前端に係合するフック形状とすると良い。このような構成とすることによれば、スライダーと当接部により、ルーバーの前後端を包み込むように取り付けることができる。よって、物品取付具の取り付け状態を安定させることができる。
【００１５】
また、上記のような特徴を有するエアコン吹き出し口のルーバーに対する物品取付具では、前記アジャスト部に前記取付基部としての機能を持たせ、前記取付基部と前記アジャスト部とを一体物とすることもできる。このような構成とすることで、本体を小型化することができ、物品側への突出部をより小さくすることが可能となる。
【００１６】
また、上記のような特徴を有するエアコン吹き出し口のルーバーに対する物品取付具では、前記取付基部は、前記ネジ部と別体となるように構成しても良い。このような構成とする事によれば、アジャスト部の操作によりネジ部が回動した場合でも、取付基部は、回動しないこととなる。このため、取付基部に対してドリンクホルダー等の物品を取り付けた状態で、ネジ部の調整を行う事が可能となる。
【００１７】
さらに、上記のような特徴を有するエアコン吹き出し口のルーバーに対する物品取付具において前記取付基部には、前記当接部としての機能を担うと共に、前記ルーバーの下面を支持する爪部を備えるようにすると良い。このような構成とすることで、支持範囲を広くとることができる。よって、ルーバーの形状や幅の大小に関わらず、物品取付具を安定してルーバーに保持させる事が可能となる。
【発明の効果】
【００１８】
上記のような特徴を有するエアコン吹き出し口のルーバーに対する物品取付具によれば、ルーバーの幅に合わせた取り付け幅の調整を可能とした場合であっても、物品取り付け側への突出を無くす事が可能となる。
【図面の簡単な説明】
【００１９】
【図１】第１の実施形態に係る物品取付具の構成を示す正面図である。
【図２】第１の実施形態に係る物品取付具の正面構成を示す部分断面図である。
【図３】物品取付具を構成する本体の構成を示す正面図である。
【図４】物品取付具を構成するスライダーの構成を示す正面図である。
【図５】物品取付具を構成するスライダーの構成を示す左側面図である。
【図６】物品取付具を構成するスライダーの構成を示す平面図である。
【図７】物品取付具を構成するスライドガイドの構成を示す平面図である。
【図８】物品取付具を構成するスライドガイドの構成を示す左側面図である。
【図９】図８におけるＡ−Ａ断面を示す図である。
【図１０】スライドガイドに付帯するフック部の構成を示す正面図である。
【図１１】スライドガイドに付帯するフック部の構成を示す右側面図である。
【図１２】スライドガイドに付帯するフック部の構成を示す平面図である。
【図１３】実施形態に係る物品取付具の取付手順を説明するための図である。
【図１４】第２の実施形態に係る物品取付具の構成を示す斜視図である。
【図１５】第３の実施形態に係る物品取付具の構成を示す斜視図である。
【図１６】第３の実施形態に係る物品取付具の長手方向における断面構成を示す斜視図である。
【図１７】第３の実施形態に係る物品取付具において、ネジ部に逃げが生じた状態を示す長手方向における断面図である。
【図１８】第３の実施形態に係る物品取付具における第１の応用形態を示す斜視図である。
【図１９】第３の実施形態に係る物品取付具における第２の応用形態を示す斜視図である。
【図２０】物品取付具を構成するスライダーの構成の変形例を示す左側面図である。
【図２１】実施形態に係る物品取付具を介してドリンクホルダーを取り付けた使用状態を示す図である。
【図２２】取付対象として芳香剤を取り付けた使用状態を示す図である。
【発明を実施するための形態】
【００２０】
以下、本発明のエアコン吹き出し口のルーバーに対する物品取付具に係る実施の形態について、図面を参照して詳細に説明する。なお、以下に示す実施の形態は、最適な形態の一例を示すものである。よって本発明に係るエアコン吹き出し口のルーバーに対する物品取付具は、その機能を発揮することができる範囲であれば、具体的な形状を同一とする必要は無い。
【００２１】
まず、図１から図１２を参照して第１の実施形態に係るエアコン吹き出し口のルーバーに対する物品取付具（以下、単に物品取付具と称す）の具体的構成を示す。なお、図１は、第１の実施形態に係る物品取付具の正面構成を示す図であり、図２は、同部分断面図である。また、図３は、物品取付具を構成する本体の構成を示す正面図である。図４は、物品取付具を構成するスライダーの正面構成を示す図であり、図５は、同左側面図、図６は、同平面図をそれぞれ示す。図７は、スライドガイドの構成を示す正面図であり、図８は、同左側面図、図９は図８におけるＡ−Ａ断面を示す図である。図１０は、スライドガイドに付帯するフック部の構成を示す正面図であり、図１１は、同右側面図、図１２は、同平面図をそれぞれ示す。
【００２２】
本実施形態に係る物品取付具１０は、本体１２と、スライダー２０、及びスライドガイド２６を基本として構成されている。本体１２は、車両におけるエアコン噴出し口に挿入されるネジ部１４と、取り付け対象となる物品を係合させる取付基部１８と、ネジ部１４と取付基部１８との間にアジャスト部１６を備える構成としている。ネジ部１４は、詳細を後述するスライダー２０を螺合させるための部材である。また、取付基部１８は、例えば図１５に示すように、ドリンクホルダー５２などの物品を取り付けるための部位であり、基部１８ａと先端部１８ｃとの間に括れ部１８ｂが設けられ、抜け止めが図られる構成とされている。
【００２３】
アジャスト部１６は、本体１２を構成するネジ部１４の延設方向と交差する方向に大径化されており、アジャスト部１６を回動させることにより、アジャスト部１６に一体形成されているネジ部１４、及び取付基部１８も回動することとなる。本実施形態では、アジャスト部１６は、その断面を略円形とし、外周部には、滑り止め用のローレット加工が施されている。
【００２４】
スライダー２０は、本体１２を構成するネジ部１４の軸線方向に沿って移動する役割を担う部材である。本実施形態に係るスライダー２０は、螺合部２２と、フック部２４とを有する。螺合部２２は、ネジ部１４の回転に起因して、ネジ部１４の軸線方向に沿ってスライダー２０を移動させることが可能であれば、ネジ部１４の周囲全体を覆う必要はない。本実施形態では、スライダー２０が、詳細を後述するスライドガイド２６により支持されている。このため、ネジ部１４との接触部は、フック部２４の基端側に位置する一部のみとされており、このフック部２４の基端側におけるネジ部１４との接触部に、ネジ部１４のピッチに合致する凹凸を設け、これを螺合部２２としている。
【００２５】
フック部２４は、エアコン吹き出し口に設けられた風向き調整用のフィン（ルーバー５０）に、スライダー２０を係合させるための役割を担う。このためフック部２４は、Ｊ字型の体を成し、基端部と先端部との間に形成される隙間が、少なくとも一般的なルーバー５０の厚み以上の間隔を持つように構成する。このような構成とすることで、スライダー２０のフック部２４をルーバー５０の後端に係合させることが可能となるからである。
【００２６】
スライドガイド２６は、上述したスライダー２０の回り止めを図り、スライダー２０が有効にネジ部１４の軸線方向へ移動することをサポートする役割を担う。本実施形態のスライドガイド２６は、本体１２を構成するネジ部１４を覆うガイド部２８と、組付け状態で本体を構成するアジャスト部１６側に配置される当接部３０とを有する。
【００２７】
ガイド部２８は、いわゆるスリーブ状にネジ部１４を覆い、軸線方向に沿ったスリットを備える構造としている。本実施形態では、図８に示すように、図中下端部側にスリットを設ける構成としている。スリットの壁面をガイドレールとしてスライダー２０を配置した上で、螺合部２２をネジ部１４に接触させる構造とすることで、スライダー２０のガタツキを抑制し、安定した移動を実現することが可能となる。
【００２８】
当接部３０は、ルーバー５０の前端部に当接、あるいは係合し、本体１２がエアコン吹き出し口の内部に潜り込まないようにする役割を担う。本実施形態では、当接部３０にフック部３２を備え、ルーバー５０の前端に係合可能な構成としている。このような構成から、当接部３０のフック部３２は、スライダー２０のフック部２４と向かい合う形態を採ることとなる。
【００２９】
このような構成の物品取付具１０によれば、スライダー２０の移動により、取り付け幅の調整が可能であるため、ルーバー５０の幅の違いによる取付時のガタツキを抑制し、安定した取り付け状態を確保することができる。また、取り付け状態では、本体１２を構成するネジ部１４がエアコン吹き出し口の中に収まるため、物品取り付け側への突出を無くすことができる。なお、上記実施形態では、スライドガイド２６と当接部３０を別体で構成しているように示したが、スライドガイド２６と当接部３０とを一体として構成したとしても、本実施形態に係る物品取付具１０が奏する効果に影響を与えるものでは無い。
【００３０】
次に、上記のような構成の物品取付具１０をエアコン吹き出し口へ取り付ける際の手順について説明する。まず、図１３（Ａ）に示すように、アジャスト部１６を回転させ、スライダー２０をネジ部１４の先端側へ移動させる。スライダー２０を移動させた状態で、ネジ部１４、およびネジ部１４を覆うスライドガイド２６をエアコン吹き出し口に挿入し、ルーバー５０の後端にスライダー２０のフック部２４を係合させる。ここで、積層配置されているルーバー５０の配置間隔が狭い場合には、本体１２、スライドガイド２６、およびスライダー２０を挿入方向回りに９０°回転させた状態で挿入することで、スライダー２０の引っ掛かりを避けることができる。
【００３１】
スライダー２０のフック部２４をルーバー５０の後端に係合させた後、図１３（Ｂ）に示すように、スライドガイド２６をスライダー２０側に押し込む事で、スライドガイド２６に設けた当接部３０のフック部３２を、ルーバー５０の前端に係合させる。この動作により、ルーバー５０の前後端をフック部３２とフック部２４で挟み込むかたちとなり、係合状態を安定させることができる。
【００３２】
スライダー２０のフック部２４と、当接部３０のフック部３２によりルーバー５０の前後を挟み込んだ後、アジャスト部１６を回転させることで、本体１２を構成するネジ部１４は、スライダー２０を基点として相対的にスライドガイド２６側に移動する。ネジ部１４が移動することにより、アジャスト部１６がスライドガイド２６の端部に配置した当接部３０に当接したところで、図１３（Ｃ）に示すように、固定（取り付け）が完了する。
【００３３】
なお、上記説明では、スライダー２０のフック部２４をルーバー５０の後端に係合させた後、スライドガイド２６をスライダー２０側に押し込む旨説明した。しかしながら、フック部２４をルーバー５０の後端に係合させた後、単にアジャスト部１６を回転させるだけでも良い。このような方法を採った場合であっても、アジャスト部１６は、スライダー２０側に引き寄せされ、物品取付具の固定を完了させることができるからである。
【００３４】
次に、本発明のエアコン吹き出し口のルーバーに対する物品取付具の第２の実施形態について、図１４を参照して、詳細に説明する。
【００３５】
本実施形態に係る物品取付具１０Ａも、本体１２と、スライダー２０、及びスライドガイド２６を基本とする構成は、上述した第１の実施形態に係る物品取付具１０と同様である。第１の実施形態に係る物品取付具１０との相違点としては、スライダー２０の形態と、スライドガイド２６の形態、及び本体１２とスライダー２０、及びスライドガイド２６を二個一対として構成するための取付ベース３４を備えている点である。
【００３６】
本実施形態に係るスライダー２０は、螺合部２２が本体１２を構成するネジ部１４の外周を覆う形態としている。これは、スライドガイド２６の形態との相対的な割合の変化によるものである。本実施形態に係るスライドガイド２６は、ネジ部１４に沿って配置された棒状部材であり、スライダー２０の一部（図１４に示す例では、螺合部２２の一部）がスライドガイド２６に沿う摺動部を持つ事で、アジャスト部１６を回転させた際、スライダー２０がネジ部１４の回転に供回りする事無く、ネジ部１４の延設方向に沿って移動することとなる。なお、本実施形態におけるスライドガイド２６は、詳細を後述する取付ベース３４を基点として、ネジ部１４の延設方向に沿って配置されている。
【００３７】
取付ベース３４は、本体１２、スライダー２０、及びスライドガイド２６を二個一対として組み付けるためのホルダーであり、第１の実施形態に係る物品取付具１０における当接部３０としても役割も担う要素である。ドリンクホルダー５２などの耐荷重の設定が高い物品をエアコンの吹き出し口に取り付ける際には、複数の物品取付具を用いる事が多い。このため、取付ベース３４を介して予め２つの本体１２、スライダー２０、及びスライドガイド２６を配置し、ルーバー５０への取り付けを終えた後、取付ベース３４へ物品を係合させるようにする事で、物品の取り付けを容易に行う事が可能となる。このような構成とした場合、本実施形態に係る本体１２には、物品を係合させるための取付基部１８（図１参照）が不要となる。
【００３８】
取付ベース３４には、２つの本体取付穴３６と、２つのスライドガイド取付穴３８が備えられている。本体取付穴３６とスライドガイド取付穴３８は、いずれもルーバー５０の配置方向（水平方向）に長軸を持つ長穴とすると良い。本体取付穴３６とスライドガイド取付穴３８をこのような長穴とする事で、対を成す本体１２、およびスライドガイド２６の配置間隔を調節する事が可能となる。なお、本体取付穴３６とスライドガイド取付穴３８は、必ずしも独立した穴でなく、図１４に示すように、各穴の一部が連結されているものであっても良い。
【００３９】
このような構成の物品取付具１０Ａでは、ルーバー５０の後端には、スライダー２０のフック部が係合する。一方、ルーバー５０の前端には、取付ベース３４が当接することとなる。
【００４０】
このような構成の物品取付具１０Ａであっても、上述した第１の実施形態に係る物品取付具１０と同様に、ルーバー５０の幅に合わせた取り付け幅の調整が可能となる。よって、ルーバー５０の幅の違いによる取付時のガタツキを抑制し、安定した取り付け状態を確保することができる。また、取り付け状態では、本体を構成するネジ部１４がエアコン吹き出し口の中に収まるため、物品取り付け側への突出を無くすことができる。
【００４１】
また、上記実施形態では、いずれも、スライドガイド２６を必須要素であるように記載した。しかしながら、本発明に係る物品取付具１０，１０Ａを構成する上では、必ずしもスライドガイド２６を設ける必要は無い。上記実施形態では、スライドガイド２６は、主に、スライダー２０がネジ部１４の回転に供回りする事を防止する役割を担っていた。しかし、スライダー２０は、フック部２４がルーバー５０の後端に係合した後は、ネジ部１４が回転したとしても、これに供回りする事無くネジ部１４に沿って移動することとなる。
【００４２】
よって、スライドガイド２６が無い場合であっても、上記実施形態に係る物品取付具１０，１０Ａと同様な効果を得ることができる。しかし、スライドガイド２６を備える事により、スライダー２０におけるフック部３２の向きの把握が容易になる。このため、目視し辛いルーバー５０の後端へフック部２４を係合させる事が容易になるといった効果を得ることができるため、望ましくは、スライドガイド２６を備えるようにすると良い。
【００４３】
また、第２の実施形態では、取付ベース３４に物品を係合させる構成とすることで、本体１２を構成する取付基部１８を無くす事ができる旨記載した。これと同様に、アジャスト部１６に、取付基部１８の機能を持たせることによっても、取付基部を省略することが可能となる。
【００４４】
次に、本発明のエアコン吹き出し口のルーバーに対する物品取付具の第３の実施形態として、第２の実施形態に係る物品取付具１０Ａにおける取付ベース３４に取付基部１８を設ける構成について図１５から図１７を参照して説明する。なお、図１５は、第３の実施形態に係る物品取付具の構成を示す斜視図であり、図１６は、同側断面を示す図である。さらに図１７は、同側断面において、本体のネジ部が撓んだ様子を示す図である。
【００４５】
本実施形態では、本体１２をネジ部１４とアジャスト部１６により構成している。そして、取付ベース３４をホルダとして、本体１２を回転自在に保持する構成としている。取付ベース３４には、保持した本体１２におけるネジ部１４の突出方向と反対方向に向けて取付基部１８が延設されている。このような構成とした場合でも、アジャスト部１６は、ネジ部１４と取付基部１８との間に位置することとなる。また、このような構成とした場合、アジャスト部１６を操作した際に、取付基部１８が回動する事はない。このため、取付基部１８にドリンクホルダー５２（図２１参照）等の物品を取り付けた状態であっても、アジャスト部１６を操作することが可能となる。
【００４６】
本実施形態においてスライドガイド２６は、取付ベース３４の基部に固定されることとなる。そして、スライドガイド２６における、ネジ部１４の先端に対応する部分は、ガイド部２８のスリーブ状部分が開放された開放部（逃げ部）２８ａが設けられて、ネジ部１４が外部に覗く状態に構成されている。また、スライドガイド２６には、ガイド部２８の先端に、スライダーの脱落を防止するためのストッパ２８ｂが設けられている。
【００４７】
このような構成とする事で、アジャスト部１６の操作により、スライダー２０がネジ部１４の先端まで来て移動が規制された際の破損防止や、ストッパ２８ｂを乗り越えての脱落の防止等を図ることができる。具体的には、スライダー２０がネジ部１４の先端まで移動した際、ネジ部１４が更に回動すると、ネジ部１４はスライダー２０の螺合部２２から、離間する方向、すなわちガイド部２８が開放されている方向へ撓み、螺合部２２のネジ山を乗り越えて空回りを生じさせる（図１７参照）。これにより、ネジ部１４を無理やり回す事による破損を防ぐことができるのである。また、ネジ部１４の撓みにより空回りが生じる事により、ネジ部１４と螺合部２２との間には、いわゆる歯飛びに起因する音が生じる。これにより、ネジ部１４の先端が視認できない状態であっても、スライダー２０がネジ部１４の先端に到達した事を知ることができる。
【００４８】
また、本実施形態に係る物品取付具１０Ｂでは、スライドガイド２６と取付ベース３４との接続部位が当接部３０の役割を果たす構成とされている。そして、取付ベース３４には、当接部３０の延長として、ルーバー５０の下面側を支持する爪部３４ａが設けられている。このような爪部３４ａを設ける事により、ルーバー５０の形状に関わらず、物品取付具１０Ｂの取付状態を安定させることができる。
【００４９】
また、上記実施形態では、ネジ部１４の先端を逃がすために、スライドガイド２６の先端側に位置するガイド部２８に開放部２８ａを設ける旨記載した。しかしながら、ネジ部１４の先端が逃げるスペースを確保することができれば、ガイド部２８の先端を解放構造とする必要はない。すなわち、図１８に示すように、ガイド部２８の先端部分におけるスリーブの内部空間を広げるように、拡幅部２８ｃを設けるようにし、これを逃げ部としても良い。このような構成とした場合であっても、ネジ部１４と螺合部２２との間での空回りを生じさせることができるからである。
【００５０】
また、同様な考え方から、図１９に示すように、スライドガイド２６を構成するガイド部２８のスリーブ部分の一部にスリット２８ｄを設け、ネジ部１４の撓みに従ってガイド部２８も撓むように構成しても良い。なお、このようにガイド部２８を撓む構成とする場合、スリット２８ｄの位置を変える事で、相対的にスライダー２０を保持している部分が撓むようにしても良い。
【００５１】
また、上記実施形態においては、スライダー２０の螺合部２２を解放型とする際、フック部と反対側に位置する部位、すなわちスライダー２０の上部を解放する構成とするように記載した。しかしながら、その形状を工夫する事で、図２０に示すように、スライダー２０の側面に螺合部２２の開放部を設けるようにしても良い。このような形態とした場合、ネジ部１４の逃げを物品取付具１０Ｂの側面に配置する事ができる。これにより、ルーバー５０の幅が狭く、上側に隙間を設けられないような場合でも、本実施形態に係る物品取付具１０Ｂを適用することが可能となる。
【００５２】
図２１、及び図２２に、本願に係る物品取付具１０の使用状態の例を示す。図２１は、取付対象とする物品を一般的なドリンクホルダー５２とした場合の例である。取付基部１８に、ドリンクホルダー５２を係合させ、ドリンクホルダー５２の下部から、エアコン吹き出し口周辺部へ当接するガイド５４を延設させる構成としている。このような構成とする事で、物品取付具１０に対するせん断力を軽減することができる。
【００５３】
また、図２２は、取付対象とする物品を芳香剤５６とした場合の例である。このように、取付基部１８に係合可能な構成を持っていれば、物品の大きさに多少の大小があったとしても、取付に影響を与えるものでは無い。
【符号の説明】
【００５４】
１０，１０Ａ，１０Ｂ………物品取付具、１２………本体、１４………ネジ部、１６………アジャスト部、１８………取付基部、１８ａ………基部、１８ｂ………括れ部、１８ｃ………先端部、２０………スライダー、２２………螺合部、２４………フック部、２６………スライドガイド、２８………ガイド部、２８ａ………開放部、２８ｂ………ストッパ、２８ｃ………拡幅部、２８ｄ………スリット、３０………当接部、３２………フック部、３４………取付ベース、３４ａ………爪部、３６………本体取付穴、３８………スライドガイド取付穴、５０………ルーバー、５２………ドリンクホルダー、５４………ガイド、５６………芳香剤。
【図１】
0006800512.tif 000002
【図２】
0006800512.tif 000003
【図３】
0006800512.tif 000004
【図４】
0006800512.tif 000005
【図５】
0006800512.tif 000006
【図６】
0006800512.tif 000007
【図７】
0006800512.tif 000008
【図８】
0006800512.tif 000009
【図９】
0006800512.tif 000010
【図１０】
0006800512.tif 000011
【図１１】
0006800512.tif 000012
【図１２】
0006800512.tif 000013
【図１３】
0006800512.tif 000014
【図１４】
0006800512.tif 000015
【図１５】
0006800512.tif 000016
【図１６】
0006800512.tif 000017
【図１７】
0006800512.tif 000018
【図１８】
0006800512.tif 000019
【図１９】
0006800512.tif 000020
【図２０】
0006800512.tif 000021
【図２１】
0006800512.tif 000022
【図２２】
0006800512.tif 000023